(57)【要約】【課題】１種類の戸当りビードを用いて突き合せ部の光もれを防止できると共に、その戸当りビードを取付ける作業がやり易い突き合せ部を有する建具とする。【解決手段】相互に突き合わせられる一方の開閉体１の突き合せ部１ａと他方の開閉体２の突き合せ部２ａに第１戸当りビード７、第２戸当りビード８をそれぞれ取付け、この第１戸当りビード７は受け部２３を有する雌部２０に雄部３０を剥離可能に設けたもので、前記第２戸当りビード８は第１戸当りビード７の雄部３０を剥離したものである突き合せ部を有する建具。これによって、１種類の戸当りビードで突き合せ部の光もれを防止できると共に、第１・第２戸当りビード７，８の取付ける向きは一定であるから向きを誤って取付けることがなく、第１・第２戸当りビード７，８を取付ける作業がやりやすい。【選択図】      図３
2004176358.tif 000002
【特許請求の範囲】
【請求項１】
相互に突き合わせられる一対の開閉体を備え、一方の開閉体の突き合せ部に第１戸当りビードを取付け、他方の開閉体の突き合せ部に第２戸当りビードを取付けた突き合せ部を有する建具であって、
前記第１戸当りビードは、一方の開閉体に取付けられ、且つ他方の開閉体側に受け部が設けられた雌部と、この雌部から他方の開閉体側に突出する雄部とを剥離可能に一体に設けた形態で、
前記第２戸当りビードは、前記第１戸当りビードの雄部を剥離した形態であることを特徴とする突き合せ部を有する建具。
【請求項２】
受け部を備えた雌部と、この受け部に当接するヒレ片を雌部から一体的に形成した雄部とを備え、前記雌部と前記雄部との境界又は境界近傍に剥離部を設けたことを特徴とする戸当りビード。
【請求項３】
雄部は、一対のヒレ片と、この一対のヒレ片を連続する連結片を有し、前記連結片に切断用凹溝を形成した請求項２記載の戸当りビード。
【発明の詳細な説明】
【０００１】
【発明の属する技術分野】
本発明は、引き分け戸、４枚建て引き違い戸、折り畳み扉等の突き合せ部を有する建具及び、片引き戸、２枚建て引き違い戸、３枚建て引き違い戸等の建具に用いる戸当りビードに関する。
【０００２】
【従来の技術】
特許文献１に、突き合せ部を有する折り畳み扉が開示されている。
この折り畳み扉は、突き合う一方のパネルに雄のクッション、他方のパネルに雌のクッションを対向してそれぞれ取付け、パネルを閉じた時に、この雄のクッションと雌のクッションを突き合わせることで突き合わされる際の衝撃を吸収する。
特許文献２に、突き合せ部を有する建具が開示されている。
この建具は、一方の障子の縦框と他方の障子の縦框に、表面が雄形状で裏面が雌形状の戸当ゴムを表裏反転して取付け、障子を閉じた時に一方の戸当ゴムの雄部分が他方の戸当ゴムの雌部分に嵌まり合う。
【０００３】
【特許文献１】
実公平５−２３７３６号公報
【特許文献２】
実公昭５８−１３０２４号公報
【０００４】
【発明が解決しようとする課題】
前述の折り畳み扉であると、雄のクッションと雌のクッションの２種類のクッションを用いなければならない。
前述の建具であれば、一種類の戸当ゴムを用いれば良い。
しかし、その反面、一方の縦框と他方の縦框に戸当ゴムを表裏反転して向きを注意して取付ける必要があり、その取付がやりづらい。
しかも、戸当ゴムの向きを誤って取付けてしまう恐れがあり、その場合には戸当ゴムを取り外して再び取付けなければならず、面倒で時間がかかってしまう。
【０００５】
本発明は、前述の課題に鑑みなされたもので、その目的は、１種類の戸当りビードを用いることができること、その戸当りビードの取付け誤りがないこと、を満足した突き合せ部を有する建具及び戸当りビードを提供することである。
【０００６】
【課題を解決するための手段】
第１の発明は、相互に突き合わせられる一対の開閉体を備え、一方の開閉体の突き合せ部に第１戸当りビードを取付け、他方の開閉体の突き合せ部に第２戸当りビードを取付けた突き合せ部を有する建具であって、
前記第１戸当りビードは、一方の開閉体に取付けられ、且つ他方の開閉体側に受け部が設けられた雌部と、この雌部から他方の開閉体側に突出する雄部とを剥離可能に一体に設けた形態で、
前記第２戸当りビードは、前記第１戸当りビードの雄部を剥離した形態であることを特徴とする突き合せ部を有する建具である。
【０００７】
第２の発明は、受け部を備えた雌部と、この受け部に当接するヒレ片を雌部から一体的に形成した雄部とを備え、前記雌部と前記雄部との境界又は境界近傍に剥離部を設けたことを特徴とする戸当りビードである。
【０００８】
第３の発明は、第２の発明において雄部は、一対のヒレ片と、この一対のヒレ片を連続する連結片を有し、前記連結片に切断用凹溝を形成した請求項２記載の戸当りビードである。
【０００９】
【作  用】
第１の発明によれば、一対の開閉体を突き合わせた時に第１戸当りビードの雄部と第２戸当りビードの雌部の受け部が嵌まり合って接触する。
よって、一対の開閉体の突き合せ部の光もれを防止できる。
また、第１戸当りビードの雄部を剥離して第２戸当りビードとするので、１種類の戸当りビードを製作準備すれば良い。
また、第１戸当りビード、第２戸当りビードは取付ける向きが一定であるから、向きを誤って取付ける恐れがない。
よって、第１・第２戸当りビードを取付ける作業がやり易い。
【００１０】
第２の発明によれば、雌部から雄部を容易に剥離できる。
【００１１】
第３の発明によれば、連結片を切断用凹溝で容易に切断できる。
また、連結片を切断することで一対のヒレ片が弾性変形し易くなるので、雄部のつぶし代が大きい。
よって、戸当り框に装着して縦枠材に当接する戸当りビード等として用いた場合に雄部のつぶし代を大きくして縦枠材に確実に接触することができる。
【００１２】
【発明の実施の形態】
図１と図２に示すように、相互に突き合う一対の開閉体、例えば一方の開閉体１と他方の開閉体２で突き合せ部を有する建具を構成している。
この実施の形態では上枠材３と下枠材４と左右の縦枠材５を備えた建具枠６に、一方の開閉体１と他方の開閉体２が面内方向に移動自在で、かつ面外方向同一位置に装着されて突き合せ戸を形成している。
前記一方の開閉体１の突き合せ部１ａに第１戸当りビード７が装着され、他方の開閉体１の突き合せ部２ａに第２戸当りビート８が装着してある。
この実施の形態では、一対の開閉体１，２は上框１０、下框１１、戸尻框１２、戸先框１３を方形框組み、その框組体の内部にパネル１４を装着した戸で、各戸先框１３が突き合せ部１ａ，２ａであり、この戸先框１３のあり溝１３ａに第１・第２戸当りビード７，８がそれぞれ装着してある。
前記一対の開閉体１，２は、框組体の内部に紙貼り格子を装着した紙貼障子、ガラスを装着した障子、襖芯材を装着した襖、フラッシュドアなども良い。
【００１３】
前記第１戸当りビード７は、図３の右側に示すように受け部２３を有する雌部２０と、この雌部２０と一体に連続した雄部３０を有すると共に、その雄部３０が雌部２０から剥離可能な形態である。前記受け部２３は凹んだ形状、例えば凹陥部とすることが好ましい。
前記第２戸当りビード８は、図３の左側に示すように第１戸当りビード７の雄部３０を剥離した雌部２０のみを有する形態である。図３においては雄部３０を仮想線で示してある。
この実施の形態では第１・第２戸当りビード７，８は、その雌部２０が戸先框１３のあり溝１３ａに嵌着して取付けてある。これに限ることはなく、接着剤や接着テープを利用して貼着することで取付けても良い。
【００１４】
このようであるから、一方の開閉体１と他方の開閉体２を突き合わせることで図４に示すように、第１戸当りビード７の雄部３０が第２戸当りビード８の雌部２０の受け部２３に嵌まり合うように突き合うので、第１戸当りビード７と第２戸当りビード８は隙間なく密着する。
よって、突き合せ部の光もれを確実に防止できる。
【００１５】
また、第１戸当りビード７、第２戸当りビード８を取付ける際の向きは一定であり、向きを誤って取付けることはない。
特に、第１戸当りビード７を第１・第２突き合せ部１ａ，２ａにそれぞれ取付け、その状態で一方の第１戸当りビード７の雄部３０を剥離することで第２戸当りビード８とすることが可能で、このようにすることによって、向きを誤って取付けることが確実に防止される。
【００１６】
次に、第１戸当りビード７の具体形状の例を説明する。
図３に示すように、雌部２０は、基片２１と、その両端部に一体的に設けた一対の側片２２で断面ほぼコ字形状で、雄部３０が嵌まり合う受け部２３を有する。
前記雌部２０の両端部に前記あり溝１３ａに嵌着される取付部が形成してある。例えば凹部２４と突出部２５が形成されている。。
前記雄部３０は、一対の側片２２と連続した一対のヒレ片３１と、この一対のヒレ片３１の中間部を一体的に連続する連結片３２を備え、一対のヒレ片３１はほぼＶ字形状で、かつその先端部は離隔している。
【００１７】
前記各側片２２と各ヒレ片３１の境界、又は境界近傍に剥離部、例えば剥離用凹溝３３が長手方向に連続して形成してある。この剥離用凹部３３から雄部３０を容易に剥離できる。前記剥離部は切れ目でも良いし、剥離する部分の雌部の材質を雄部より硬くして剥離を容易とすることでも良い。
しかも、その剥離用凹溝３３はヒレ片３１の弾性変形を容易とする機能を有する。
前記連結片３２の中間部には切断用凹溝３４が長手方向に連続して形成され、この切断用凹溝３４から連結片３２の中間部を容易に切断できる。例えば、切断用凹溝３４に沿ってカッターを移動することで切断する。
しかも、この切断用凹溝３４は連結片３２の弾性変形を容易とする機能を有する。
【００１８】
前記雌部２０、雄部３０の材質は、硬質、半硬質、軟質のいずれでも良いが、雌部２０が雄部３０よりも硬いことが好ましい。
この実施の形態では雌部２０が半硬質で、雄部３０が軟質である。
このようにすることで、雄部３０が雌部２０の受け部２３に嵌まり合った時に一対のヒレ片３１がスムーズに弾性変形して雌部２０に均一に接触する。また、雄部３０を剥離し易くなる。
【００１９】
前記雄部３０が雌部２０に嵌まり合った際の状態を図４に基づいて説明する。雄部３０の一対のヒレ片３１が弾性変形し、その先端部が雌部２０の受け部２３の底部（基片２１）に圧接する。つまり、雄部３０がつぶれる。
前述の状態から更に強い力で突き合わせすると、図５に示すように連結片３２が弾性変形して一対のヒレ片３１がさらに弾性変形し、その一対のヒレ片３１が雌部２０の受け部２３の両端部（一対の側片２２）に圧接する。つまり、雄部３０のつぶし代が大きくなる。
これによって、雄部３０と雌部２０は面外方向に４つの部分で接触するから、光もれを確実に防止できる。
【００２０】
前述の第１戸当りビード７は開閉体の戸当り部に取付けて使用することもできる。
例えば、図６に示すように引き違い戸の第１・第２障子４０，４１の戸当り框４２にそれぞれ取付け、その第１戸当りビード７が縦枠材５に当接するようにする。
この場合には、図７に示すように雄部３０の連結片３２を切断用凹部３４から切断することで、雄部３０の一対のヒレ片３１が弾性変形し易くなるから、雄部３０のつぶし代が大きくなって縦枠材５に確実に接触する。
【００２１】
【発明の効果】
請求項１に係る発明によれば、一対の開閉体を突き合わせた時に第１戸当りビードの雄部と第２戸当りビードの雌部の受け部が嵌まり合って接触する。
よって、一対の開閉体の突き合せ部の光もれを防止できる。
また、第１戸当りビードの雄部を剥離して第２戸当りビードとするので、１種類の戸当りビードを製作準備すれば良い。
また、第１戸当りビード、第２戸当りビードは取付ける向きが一定であるから、向きを誤って取付ける恐れがない。
よって、第１・第２戸当りビードを取付ける作業がやり易い。
【００２２】
請求項２に係る発明によれば、雌部から雄部を容易に剥離できる。
【００２３】
請求項３に係る発明によれば、連結片を切断用凹溝で容易に切断できる。
また、連結片を切断することで一対のヒレ片が弾性変形し易くなるので、雄部のつぶし代が大きい。
よって、戸当り框に装着して縦枠材に当接する戸当りビード等として用いた場合に雄部のつぶし代を大きくして縦枠材に確実に接触することができる。
【図面の簡単な説明】
【図１】本発明の実施の形態を示す突き合せ建具の横断面図である。
【図２】本発明の実施の形態を示す突き合せ建具の縦断面図である。
【図３】第１戸当りビードと第２戸当りビードの拡大断面図である。
【図４】突き合せ状態の横断面図である。
【図５】突き合せ状態の横断面図である。
【図６】引き違い窓の横断面図である。
【図７】戸当り部分の拡大横断面図である。
【符号の説明】
１…一方の開閉体、１ａ…突き合せ部、２…他方の開閉体、２ａ…突き合せ部、５…縦枠材、７…第１戸当りビード、８…第２戸当りビード、２０…雌部、２１…基片、２２…側片、２３…受け部、３０…雄部、３１…ヒレ片、３２…連結片、３３…剥離用凹溝（剥離部）、３４…切断用凹溝、４２…戸当り框。
【図１】
2004176358.tif 000003
【図２】
2004176358.tif 000004
【図３】
2004176358.tif 000005
【図４】
2004176358.tif 000006
【図５】
2004176358.tif 000007
【図６】
2004176358.tif 000008
【図７】
2004176358.tif 000009